(57)【要約】【課題】背上げや背下げ動作に応じたエアマット等の内圧調整を行うために、特別なセンサや装置を設ける必要がなく、また、様々なベッドにも対応することができるとともに、シンプルな構造で、製造コストも抑えつつ、背上げや背下げ動作に応じたエアマットの最適な内圧制御が可能なエアマット装置を提供すること。【解決手段】ベッド１２上にて使用するエアマット装置１０を、ベースシート１４と、ベースシート１４上面側に載置するエアマット１６と、エアマット１６の内圧の変化を検出する内圧検出手段２０と、エアマット１６の内圧を調整する内圧調整手段２２とを備え、内圧検出手段２０が、ベッド１２の背上げ動作又は背下げ動作に起因するエアマット１６の内圧の所定時間間隔における所定の変化量を検出した際には、内圧調整手段２２が、エアマット１６の内圧を予め定められた値に調整する制御を行う構成とした。【選択図】図１
2018166694.tif 000002
【特許請求の範囲】
【請求項１】
ベッド上にて使用するエアマット装置であって、前記エアマット装置は、ベースシートと、当該ベースシート上面側に載置するエアマットと、前記エアマットの内圧の変化を検出する内圧検出手段と、前記エアマットの内圧を調整する内圧調整手段と、を備え、前記内圧検出手段が、前記ベッドの背上げ動作又は背下げ動作に起因する前記エアマットの内圧の所定時間間隔における所定の変化量を検出した際には、前記内圧調整手段が、前記エアマットの内圧を予め定められた値に調整する制御を行うことを特徴とするエアマット装置。
【請求項２】
前記エアマットにマットレスが重ねて配置されていることを特徴とする請求項１記載のエアマット装置。
【請求項３】
ベッド上にて使用するエアマット装置であって、前記エアマット装置は、ベースシートと、当該ベースシート上面側に載置する第１エアマットと、当該第１エアマットに重ねて配置される第２エアマットと、前記第１エアマットの内圧の変化を検出する内圧検出手段と、前記第２エアマットの内圧を調整する内圧調整手段と、を備え、前記内圧検出手段が、前記ベッドの背上げ動作又は背下げ動作に起因する前記第１エアマットの内圧の所定時間間隔における所定の変化量を検出した際には、前記内圧調整手段が、前記第２エアマットの内圧を予め定められた値に調整する制御を行うことを特徴とするエアマット装置。
【請求項４】
ベッド上にて使用するエアマット装置であって、前記エアマット装置は、ベースシートと、当該ベースシート上面側に載置する第３エアマットと、当該第３エアマットに重ねて配置される第４エアマットと、前記第３エアマットの下面側に配置される第５エアマットと、前記第４エアマットの内圧の変化を検出する内圧検出手段と、前記第５エアマットの内圧を調整する内圧調整手段と、を具備し、前記内圧検出手段が、前記ベッドの背上げ動作又は背下げ動作に起因する前記第４エアマットの内圧の所定時間間隔における所定の変化量を検出した際には、前記内圧調整手段が、前記第５エアマットの内圧を予め定められた値に調整する制御を行うことを特徴とするエアマット装置。
【発明の詳細な説明】
【技術分野】
【０００１】
本発明は、病人等が長期に渡って床に伏せる場合などに生じる床ずれを予防するためのベッドに載置して用いるエアマット装置に関するもので、特に、ベッドの背上げ及び背下げ動作を検出した際に、エアマットの内圧を調整するエアマット装置に関するものである。
【背景技術】
【０００２】
寝返りを打てない病人等が長期に渡って床に伏していると、床ずれが体に生じる場合がある。床ずれの原因としては、寝返りを打てないことにより寝具からの圧が身体の一定箇所に集中して血行不良が生じることや、体力の衰えや栄養状態の悪化、あるいは汗等による過湿によって細菌の繁殖等が原因といわれている。
【０００３】
また、ベッドの背上げを行う場合、病人等の被介護者の上半身の体重が、腰部から臀部にかけて集中して加わってしまうため、その部分のエアマット内の空気が周辺に逃げることにより、エアマットの底づきを引き起こしてしまうという問題がある。
【０００４】
ここで、例えば、特許文献１には、細長い袋状のエアセルをベッドの長手方向と直交する向きに寝かせた状態でベッドの長手方向に沿って複数本並設したエアマットと、前記エアマットに設けられた前記エアマットの水平面に対する傾斜を感知する傾斜感知手段と、前記傾斜感知手段に連結され、前記傾斜感知手段によって前記エアマットの水平面に対する傾斜角が予め定めた所定角度に達したことが感知されたときに、前記エアセルを所定内圧に制御する内圧制御手段とを具備することを特徴とするエアマット装置が開示されている。
【０００５】
そして、この技術によれば、介護者が、ベッドの背上げを行った時に、エアマットが所定の角度まで傾斜したことが自動的に検知され、それとともに、エアセルの内圧が調整されるため、介護者が常に意識していなくても、被介護者の安全を担保することが可能となり、また、介護者の作業の繁雑さが解消されるとしている。
【０００６】
また、特許文献２には、独立した複数のセルが患者の寝姿勢時の身長方向に並設されてなるエアマット本体と、上記各セルに作用する圧力分布を検出する圧力センサと、上記各セルに接続され、該各セルに空気をそれぞれ供給する空気給排装置と、上記圧力センサと上記空気給排装置に接続され、上記各セルにそれぞれ供給される空気供給量を調整して内圧を制御する制御装置とを備えており、少なくとも背ボトムが揺動するベッドフレームの上に載置されるエアマット装置であって、上記背ボトムの揺動を検出する揺動検出部を備え、上記制御装置は、該揺動検出部によって背ボトムの揺動が検出された際には、上記セルのうち背ボトムに対応する位置にあるセル群に供給する空気を時間の経過に伴って増減させて内圧を制御し、この位置の各セルを膨脹・収縮させる圧力コントロール部を備えることを特徴とするエアマット装置が開示されている。
【０００７】
そして、この技術によれば、背ボトムに対応する位置にある各セルに供給される空気供給量を増減することで、背上げ時や背下げ時等の背ボトムの揺動時に、エアマット本体と患者との密着感や圧迫感を低減することができ、エアマットと患者とのベッド長手方向へのずれを確実に防止することができ、それとともに、背下げが完了して仰臥した状態になっても、各セルのエアを完全に抜いてしまうのでなく、寝ている患者のクッション性を維持させるようにしているので、患者が寝ているときの快適性が損なわれないとされている。
【０００８】
さらに、特許文献３には、ベッドのボトム上に載置されるエアマットレスにおいて、夫々複数個の袋状セルから構成されエアマットレスの長手方向に並ぶ複数個のエアセル群と、給排気ポンプと、前記エアセル群のうち２以上のエアセル群について、各エアセル群毎に独立した系統で前記エアセル群と前記給排気ポンプとを連結するエアチューブと、前記ベッドの制御に必要な情報を検出する外部センサから前記情報のうち少なくとも一部の情報を受信し、この受信情報に基づいて前記各エアセル群に対する給排気ポンプの給排気を制御する制御部とを有し、前記ベッドは、少なくとも起き上がり可能な背ボトムを含む複数個のボトムを有し、前記外部センサからの情報は、前記背ボトムの起き上がり角度の情報であることを特徴とするエアマットレスが開示されている。
【０００９】
この技術によれば、制御部がベッドの制御に必要な情報を検出する外部センサから背ボトムの起き上がり角度の情報を受信し、この受信情報に基づいて各エアセル群に対する給排気ポンプの給排気を制御する。これにより、エアマットレスの内部圧力をベッドの動作に連動させて制御することができ、底突き等が発生することを防止し、効果的に体圧分散することができるとしている。
【先行技術文献】
【特許文献】
【００１０】
【特許文献１】特開２０１０−２６８８３７号公報
【特許文献２】特開２０１２−２９９２２号公報
【特許文献３】特開２０１１−１６０８９７号公報
【発明の概要】
【発明が解決しようとする課題】
【００１１】
しかしながら、特許文献１や特許文献２に開示されているエアマット装置では、ベッドの角度を検出する目的の傾斜感知手段や、揺動検出部を必要とするため、装置として大掛かりなものとなってしまい、また、製造コストも高くなってしまっている。
【００１２】
また、特許文献３に開示されているエアマットレスでは、やはり、ボトムの起き上がり角度を検出するための外部センサを必要としていることから、装置として大掛かりなものとなってしまう。また、マットレスの制御回路が、電動ベッドの制御回路に接続され、この電動ベッドの制御回路から必要な情報を得るものであることから、適合した電動ベッドを用いなければならないという煩雑さがある。
【００１３】
本発明は、上述の問題を解決するためのもので、背上げや背下げ動作に応じたエアマット等の内圧調整を行うために、特別なセンサや装置を設ける必要がなく、また、様々なベッドにも対応することができるとともに、シンプルな構造で、製造コストも抑えつつ、背上げや背下げ動作に応じたエアマットの最適な内圧制御が可能なエアマット装置を提供することを目的としている。
【課題を解決するための手段】
【００１４】
上述の課題に対応するため、本発明は、以下の技術的手段を講じている。
即ち、請求項１記載の発明は、ベッド上にて使用するエアマット装置であって、前記エアマット装置は、ベースシートと、当該ベースシート上面側に載置するエアマットと、前記エアマットの内圧の変化を検出する内圧検出手段と、前記エアマットの内圧を調整する内圧調整手段と、を備え、前記内圧検出手段が、前記ベッドの背上げ動作又は背下げ動作に起因する前記エアマットの内圧の所定時間間隔における所定の変化量を検出した際には、前記内圧調整手段が、前記エアマットの内圧を予め定められた値に調整する制御を行うことを特徴とするエアマット装置である。
【００１５】
また、請求項２記載の発明は、前記エアマットにマットレスが重ねて配置されていることを特徴とする請求項１記載のエアマット装置である。
【００１６】
そして、請求項３記載の発明は、ベッド上にて使用するエアマット装置であって、前記エアマット装置は、ベースシートと、当該ベースシート上面側に載置する第１エアマットと、当該第１エアマットに重ねて配置される第２エアマットと、前記第１エアマットの内圧の変化を検出する内圧検出手段と、前記第２エアマットの内圧を調整する内圧調整手段と、を備え、前記内圧検出手段が、前記ベッドの背上げ動作又は背下げ動作に起因する前記第１エアマットの内圧の所定時間間隔における所定の変化量を検出した際には、前記内圧調整手段が、前記第２エアマットの内圧を予め定められた値に調整する制御を行うことを特徴とするエアマット装置である。
【００１７】
さらに、請求項４記載の発明は、ベッド上にて使用するエアマット装置であって、前記エアマット装置は、ベースシートと、当該ベースシート上面側に載置する第３エアマットと、当該第３エアマットに重ねて配置される第４エアマットと、前記第３エアマットの下面側に配置される第５エアマットと、前記第４エアマットの内圧の変化を検出する内圧検出手段と、前記第５エアマットの内圧を調整する内圧調整手段と、を具備し、前記内圧検出手段が、前記ベッドの背上げ動作又は背下げ動作に起因する前記第４エアマットの内圧の所定時間間隔における所定の変化量を検出した際には、前記内圧調整手段が、前記第５エアマットの内圧を予め定められた値に調整する制御を行うことを特徴とするエアマット装置である。
【発明の効果】
【００１８】
本発明によると、エアマットの制御に必要な圧力センサ機能が、ベッドの背上げや背下げ動作に起因するエアマットの内圧変動の検出にも利用することができるため、特別なセンサを別途搭載させる必要が無く、装置全体の簡素化、そして、製造コストを大幅に抑えることが可能となる。また、ベッドの制御回路等とリンクさせる必要が無いため、様々なベッドにおいても使用することができる。
【図面の簡単な説明】
【００１９】
【図１】本発明に係るエアマット装置の第１の実施形態を示した斜視図である。
【図２】本発明に係るエアマット装置の第１の実施形態を示した図で、（ａ）は側面概略図、（ｂ）はエアチューブの構成を追加した側面概略図である。
【図３】本発明に係るエアマット装置の第２の実施形態を示した斜視図である。
【図４】本発明に係るエアマット装置の第２の実施形態を示した図で、（ａ）は側面概略図、（ｂ）はエアチューブの構成を追加した側面概略図である。
【図５】本発明に係るエアマット装置の第３の実施形態を示した斜視図である。
【図６】本発明に係るエアマット装置の第３の実施形態を示したエアチューブの構成を追加した側面概略図である。
【図７】本発明に係るエアマット装置の第４の実施形態を示した斜視図である。
【図８】本発明に係るエアマット装置の第４の実施形態を示したエアチューブの構成を追加した側面概略図である。
【図９】本発明に係るエアマット装置の第５の実施形態を示した斜視図である。
【図１０】本発明に係るエアマット装置の第５の実施形態を示したエアチューブの構成を追加した側面概略図である。
【図１１】本発明に係るエアマット装置のその他の実施形態を示した側面概略図で、（ａ）は第２エアマットが、第１エアマットの下側（足方向）に偏った位置に配置されている状態、（ｂ）は、第２エアマットが、第１エアマットの上側（背中方向）に偏った位置に配置されている状態、（ｃ）は第２エアマットが、第１エアマットと、長手方向に同程度の長さである状態、（ｄ）は第２エアマットが、第１エアマットに比べて極小なものを用いた状態を示している。
【図１２】本発明に係るエアマット装置の他の実施形態を示した側面概略図で、（ａ）は第２エアマットが、第１エアマットの上面側に配置されている状態、（ｂ）は第２エアマットが、上層・下層に分けられた第１エアマットの間に配置されている状態、（ｃ）は第２エアマットが、第１エアマットの下面側に溶着されて配置されている状態、（ｄ）は第２エアマットが、第１エアマットの下面側に溶着されて配置されている他の状態を示している。
【図１３】本発明に係るエアマット装置の実施形態のうち、第１エアマットと、第２エアマットを備えるものにおいて、ベッドの背上げと背下げ動作を行う際の第１エアマットと、第２エアマットの内圧の変化を計測した結果を示したグラフで、（ａ）は背上げ角度が３０度、（ｂ）は背上げ角度が４５度、（ｃ）は背上げ角度が６０度とした際のものである。
【発明を実施するための形態】
【００２０】
本発明に係るエアマット装置の第１の実施形態について図１を参照しながら説明する。
図１は、本発明に係るエアマット装置の第１の実施形態を示した斜視図で、図２は、本発明に係るエアマット装置の第１の実施形態を示した図で、（ａ）は側面概略図、（ｂ）はエアチューブの構成を追加した側面概略図である。符号については、１０がエアマット装置、１２がベッド、１４がベースシート、１６がエアマット、１８がエアセル、２０が内圧検出手段、２２が内圧調整手段、２４がエアポンプ、２６がエアチューブを示している。
【００２１】
本実施形態におけるエアマット装置１０は、ベッド１２上にて使用するもので、ベースシート１４と、ベースシート１４の上面側に載置するエアマット１６と、エアマット１６の内圧の変化を検出する内圧検出手段２０と、エアマット１６の内圧を調整する内圧調整手段２２を備え、内圧検出手段２０が、ベッド１２の背上げ動作又は背下げ動作に起因するエアマット１６の内圧の所定時間間隔における所定の変化量を検出した際には、内圧調整手段２２が、エアマット１６の内圧を予め定められた値に調整する制御を行うものである。
【００２２】
続いて、本実施形態におけるエアマット装置１０について、詳細に説明する。まず、エアマット装置１０は、図１及び２に示すように、背上げや背下げ動作ができるベッド１２上にて使用することができるもので、エアマット１６にエアチューブ２６を介して接続されている内圧検出手段２０は、エアマット１６の内圧の変化を検出するものである。なお、図２（ｂ）中、エアチューブ２６は、細線と太線の２パターンで表しているが、これは、細線側が、内圧検出手段２０による内圧検出、太線側が、内圧調整手段２２によるエアの給排気であることを便宜的に示したものであって、必ずしも２系統あるといった意味ではない。また、図中、エアチューブ２６が、エアマット１６の一部のエアセル１８に接続されているよう表現されているが、この位置は、本発明を限定するものではない。以下、各実施形態においても同様である。
【００２３】
ここで、本実施形態においては、エアマット１６は、患者等が横たわる方向と直行する向き、つまり、ベッド１２の長手方向と直行する向きに寝かせた状態で、ベッド１２の長手方向に沿って、複数本並設させたエアセル１８によって構成されているものである。なお、エアセル１８は、例えば、ポリウレタンシート等からなる気密性シートを溶着することにより細長い袋状としたものを用いている。
【００２４】
そして、本実施形態では、エアセル１８は、複数のグループに分けて連通されるとともに、エアポンプ２４と、エアチューブ２６を介して接続されており、エアチューブ２６を通じたエアポンプ２４及び分配器（図示せず）によるエアの制御によって、そのグループ毎の内圧が調整（膨張・収縮）され、エアセル１８を波動させる仕組みとしている。ただし、これは、本発明を限定するものではない。
【００２５】
そして、ベッド１２の背上げ動作に起因してエアマット１６の内圧が変化（増加）していくと、その変化量を、エアマット１６にエアチューブ２６を介して接続されている内圧検出手段２０が検出する。ここで、所定の変化量が検出された際には、エアマット１６にエアチューブ２６を介して接続されている内圧調整手段２２が、エアポンプ２４と分配器を操作して、各エアセル１８に向かって所定量のエアを給気させ、各エアセル１８から構成されているエアマット１６の内圧を予め定められた値に調整（増加調整）するようになっている。
【００２６】
ここで、内圧検出手段２０が検出する所定の変化量とは、所定の時間間隔における内圧の所定の変化量を意味している（例えば、１５秒のスパンで、内圧が２ｍｍＨｇ上昇）。これは、例えば、人が、エアマット１６に座ったことにより、内圧が急激に変化する場合などを除外するためである。
【００２７】
また、例えば、角度の大きい背上げ動作が行われると、所定の時間間隔における内圧の変化量が大きくなるため、それに的確に対応して、内圧調整手段２２が、エアマット１６の内圧を調整（増加調整）することができるようになっている。このように、エアマット１６の内圧を制御することによって（例えば、エアマット１６の内圧を上げることにより）、背上げ動作によって引き起こされるおそれがある患者等（被介護者等）の底づき等を防止することが可能となるわけである。
【００２８】
逆に、ベッド１２の背下げ動作に起因してエアマット１６の内圧が変化（減少）していくと、その変化量についても、内圧検出手段２０が検出する。所定の変化量が検出された際には、内圧調整手段２２が、エアポンプ２４と分配器を操作して、各エアセル１８から所定量のエアを排気させ、各エアセル１８から構成されているエアマット１６の内圧を予め定められた値に調整（減少調整）するようになっている。
【００２９】
ここでも、例えば、角度の大きい背下げ動作が行われると、所定の時間間隔における内圧の変化量が大きくなるため、それに的確に対応して内圧調整手段２２が、エアマット１６の内圧を調整（減少調整）することができ、背上げ動作時において内圧調整手段２２が増加させた状態のままとなっているエアマット１６の内圧を減少させることができる。そのため、例えば、エアマット１６の床ずれ防止効果の低減を抑えるようになっている。
【００３０】
続いて、本発明に係るエアマット装置の第２の実施形態について、図面を参照しながら説明する。
図３は、本発明に係るエアマット装置の第２の実施形態を示した斜視図で、図４は、本発明に係るエアマット装置の第２の実施形態を示したもので、（ａ）は側面概略図、（ｂ）はエアチューブの構成を追加した側面概略図である。符号については、第１エアマットが２８、第２エアマットが３０である以外は、図１と同様である。
【００３１】
本実施形態におけるエアマット装置１０は、図３に示すように、ベッド１２上にて使用するもので、ベースシート１４と、ベースシート１４の上面側に載置する第１エアマット２８と、第１エアマット２８の下面側に重ねて配置される第２エアマット３０と、第１エアマット２８の内圧の変化を検出する内圧検出手段２０と、第２エアマット３０の内圧を調整する内圧調整手段２２とを備え、内圧検出手段２０が、ベッド１２の背上げ動作又は背下げ動作に起因する第１エアマット２８の内圧の所定時間間隔における所定の変化量を検出した際には、内圧調整手段２２が、第２エアマット３０の内圧を予め定められた値に調整する制御を行う。
【００３２】
ここで、本実施形態においては、第１エアマット２８は、患者等が横たわる方向と直行する向き、つまり、ベッド１２の長手方向と直行する向きに寝かせた状態で、ベッド１２の長手方向に沿って、複数本並設させたエアセル１８によって構成されているものである。なお、エアセル１８は、例えば、ポリウレタンシート等からなる気密性シートを溶着することにより細長い袋状としたものを用いている。
【００３３】
そして、本実施形態では、エアセル１８は、複数のグループに分けて連通されるとともに、エアポンプ２４と、エアチューブ２６（図４（ｂ）において、細線）を介して接続されており、エアチューブ２６を通じてエアポンプ２４及び分配器（図示せず）によるエアの制御によって、そのグループ毎の内圧が調整（膨張・収縮）され、エアセル１８を波動させる仕組みとしているが、これは、本発明を限定するものではない。
【００３４】
また、本実施形態では、第２エアマット３０も、エアポンプ２４と、エアチューブ２６（図４（ｂ）において、太線）を介して接続されており、エアチューブ２６を通じてエアポンプ２４によるエアの制御によって、内圧が調整（膨張・収縮）される仕組みとなっている。なお、第１エアマット２８と、第２エアマット３０は、それぞれ独立しており、相互にエアの流通はされない構造となっている。
【００３５】
そして、ベッド１２の背上げ動作に起因して第１エアマット２８の内圧が変化（増加）していくと、その変化量を、第１エアマット２８にエアチューブ２６（図４（ｂ）において、細線）を介して接続されている内圧検出手段２０が検出する。ここで、所定の変化量が検出された際には、第２エアマット３０にエアチューブ２６（図４（ｂ）において、太線）を介して接続されている内圧調整手段２２が、エアポンプ２４を操作して、第２エアマット３０に向かって所定量のエアを給気させ、第２エアマット３０の内圧を予め定められた値に調整（増加調整）するようになっている。
【００３６】
ここで、内圧検出手段２０が検出する所定の変化量とは、所定の時間間隔における内圧の変化量を意味している（例えば、１５秒のスパンで、内圧が２ｍｍＨｇ上昇）。これは、例えば、人が、第１エアマット２８に座ったことにより、内圧が急激に変化する場合などを除外するためである。
【００３７】
また、例えば、角度の大きい背上げ動作が行われると、所定の時間間隔における内圧の変化量が大きくなるため、それに的確に対応して内圧調整手段２２が、第２エアマット３０の内圧を調整（増加調整）することができるようになっている。このように、第２エアマット３０の内圧を制御することによって（例えば、第２エアマット３０の内圧を上げることにより）、背上げ動作によって引き起こされるおそれがある患者等（被介護者等）の底づき等を防止することが可能となるわけである。
【００３８】
逆に、ベッド１２の背下げ動作に起因して第１エアマット２８の内圧が変化（減少）していくと、その変化量についても、内圧検出手段２０が検出する。所定の変化量が検出された際には、内圧調整手段２２が、エアポンプ２４を操作して、第２エアマット３０から所定量のエアを排気させ、第２エアマット３０の内圧を予め定められた値に調整（減少調整）するようになっている。
【００３９】
ここでも、例えば、角度の大きい背下げ動作が行われると、所定の時間間隔における内圧の変動値が大きくなるため、それに的確に対応して内圧調整手段２０が、エアポンプ２４を操作して、第２エアマット３０の内圧を調整（減少調整）することができ、背上げ動作において内圧調整手段２２が増加させたままとなっている第２エアマット３０の内圧を減少させることができる。そのため、例えば、エアマット装置１０の、床ずれ防止効果の低減を抑えるようになっている。
【００４０】
ここで、本実施形態では、図４（ｂ）に示すように、第２エアマット３０は、第１エアマット２８に横たわる患者等の腰部近辺に位置するよう配置されている。これは、ベッド１２の背上げ動作により最も底づきが起きやすいのは、患者等の腰部付近だからである。ただし、この位置は、例えば、患者等の背中位置に配置しても良いし、本発明を限定するものではない。
【００４１】
続いて、本発明に係るエアマット装置の第３の実施形態について、図面を参照しながら説明する。
図５は、本発明に係るエアマット装置の第３の実施形態を示した斜視図で、図６は、本発明に係るエアマット装置の第３の実施形態を示したエアチューブの構成を追加した側面概略図である。符号については、図３と同様である。
【００４２】
本実施形態におけるエアマット装置１０は、図５に示すように、ベッド１２上にて使用するもので、ベースシート１４と、ベースシート１４の上面側に載置する第１エアマット２８と、第１エアマット２８の上面側に重ねて配置される第２エアマット３０と、第１エアマット２８の内圧の変化を検出する内圧検出手段２０と、第２エアマット３０の内圧を調整する内圧調整手段２２とを備え、内圧検出手段２０が、ベッド１２の背上げ動作又は背下げ動作に起因する第１エアマット２８の内圧の所定時間間隔における所定の変化量を検出した際には、内圧調整手段２２が、第２エアマット３０の内圧を予め定められた値に調整する制御を行う。
【００４３】
ここで、本実施形態においては、第２エアマット３０は、図５に示すように、患者等が横たわる方向と直行する向き、つまり、ベッド１２の長手方向と直行する向きに寝かせた状態で、ベッド１２の長手方向に沿って、複数本並設させたエアセル１８によって構成されているものである。なお、エアセル１８は、例えば、ポリウレタンシート等からなる気密性シートを溶着することにより細長い袋状としたものを用いている。
【００４４】
そして、本実施形態では、エアセル１８は、複数のグループに分けて連通されるとともに、エアポンプ２４と、エアチューブ２６（図６において、太線）を介して接続されており、エアチューブ２６を通じてエアポンプ２４及び分配器（図示せず）によるエアの制御によって、そのグループ毎の内圧が調整（膨張・収縮）され、エアセル１８を波動させる仕組みとしているが、これは、本発明を限定するものではない。なお、第１エアマット２８と、第２エアマット３０は、それぞれ独立しており、相互にエアの流通はされない構造となっている。
【００４５】
そして、ベッド１２の背上げ動作に起因して第１エアマット２８の内圧が変化（増加）していくと、その変化量を、第１エアマット２８にエアチューブ２６（図６において、細線）を介して接続されている内圧検出手段２０が検出する。ここで、所定の変化量が検出された際には、第２エアマット３０にエアチューブ２６（図６において、太線）を介して接続されている内圧調整手段２２が、エアポンプ２４を操作して、第２エアマット３０に向かって所定量のエアを給気させ、第２エアマット３０の内圧を予め定められた値に調整（増加調整）するようになっている。
【００４６】
ここで、内圧検出手段２０が検出する所定の変化量とは、所定の時間間隔における内圧の変化量を意味している（例えば、１５秒のスパンで、内圧が２ｍｍＨｇ上昇）。これは、例えば、人が、第２エアマット３０に座ったことにより、その下面側に重なる第１エアマット２８の内圧が急激に変化する場合などを除外するためである。
【００４７】
また、例えば、角度の大きい背上げ動作が行われると、所定の時間間隔における内圧の変化量が大きくなるため、それに的確に対応して内圧調整手段２２が、第２エアマット３０の内圧を調整（増加調整）することができるようになっている。このように、第２エアマット３０の内圧を制御することによって（例えば、第２エアマット３０の内圧を上げることにより）、背上げ動作によって引き起こされるおそれがある患者等（被介護者等）の底づき等を防止することが可能となるわけである。
【００４８】
逆に、ベッド１２の背下げ動作に起因して第１エアマット２８の内圧が変化（減少）していくと、その変化量についても、内圧検出手段２０が検出する。所定の変化量が検出された際には、内圧調整手段２２が、エアポンプ２４を操作して、第２エアマット３０から所定量のエアを排気させ、第２エアマット３０の内圧を予め定められた値に調整（減少調整）するようになっている。
【００４９】
ここでも、例えば、角度の大きい背下げ動作が行われると、所定の時間間隔における内圧の変動値が大きくなるため、それに的確に対応して内圧調整手段２０が、エアポンプ２４を操作して、第２エアマット３０の内圧を調整（減少調整）することができ、背上げ動作において内圧調整手段２２が増加させたままとなっている第２エアマット３０の内圧を減少させることができる。そのため、例えば、エアマット装置１０の、床ずれ防止効果の低減を抑えるようになっている。
【００５０】
ここで、本実施形態では、図６に示すように、第１エアマット２８は、第２エアマット３０に横たわる患者等の腰部近辺に位置するよう配置されている。これは、内圧の変化量を検出しやすいのは、患者等の腰部付近だからである。ただし、この位置は、例えば、患者等の背中位置に配置しても良いし、本発明を限定するものではない。
【００５１】
しかし、この位置関係は、患者等の状態からフレキシブルに対応することが必要で、本発明においては、様々なものが適用されるものである。例えば、図１１（ａ）に示すように、第１エアマット２８が、第２エアマット３０の下側（足方向）に偏った位置に配置されているものや、図１１（ｂ）に示すように、第１エアマット２８が、第２エアマット３０の上側（背中方向）に偏った位置に配置されている状態とすることも可能である。
【００５２】
さらに、図１１（ｃ）に示すように、第１エアマット２８が、第２エアマット３０と、長手方向に同程度の長さであるものや、図１１（ｄ）に示すように、第１エアマット２８が、第２エアマット３０に比べて非常に小さいものを用いて配置させるといったものでも構わない。
【００５３】
また、第１エアマット２８と、第２エアマット３の上下方向における位置関係も同様に、様々なものが適用されるもので、例えば、図１２（ａ）に示すように、第１エアマット２８が、第２エアマット３０の上面側に配置されているものや、図１２（ｂ）に示すように、第１エアマット２８が、上層・下層に分けられた第２エアマット３０の間に挟まれるように配置されている状態とすることも可能である。
【００５４】
さらに、図１２（ｃ）に示すように、第１エアマット２８が、第２エアマット３０の下面側に一体となって溶着されて配置されている状態や、図１２（ｄ）に示すように、第２エアマット３０の一部（例えば、患者等の腰部付近）において、第１エアマット２８が、第２エアマット３０と、上下に独立した２層となった状態で、第２エアマット３０の下面側に溶着されて配置するようにしても良い。
【００５５】
ここで、本実施形態において、ベッドの背上げと背下げ動作を行う際の第１エアマット２８と、第２エアマット３０の内圧の変化を計測した結果を図１３に示す。図１３は、それぞれ、（ａ）は背上げ角度が３０度、（ｂ）は背上げ角度が４５度、（ｃ）は背上げ角度が６０度とした際のものである。なお、本実験は、第１エアマット２８の初期内圧を２３ｍｍＨｇ、第２エアマット３０の初期内圧を２０ｍｍＨｇとし、その上に横たわる被験者は、男性で、体重が８６ｋｇ、身長が１７７ｃｍである。また、グラフ中、時間が０の際に上にある線が、第１エアマット２８の内圧の変動を表し、下にある線が、第２エアマット３０の内圧の変動を表している。
【００５６】
図１３に示すように、ベッド１２を水平状態から、所定の角度（３０度、４５度、６０度）まで背上げ動作を行うよう制御すると、所定の時間間隔において、第１エアマット２８の内圧が上昇していることが読み取れる。つまり、第１エアマット２８の内圧の変化を検出するように構成しておけば、特別なセンサ等を用いることなく、ベッド１２の背上げ動作を認識することができるわけである。
【００５７】
また、各グラフにあるように、背上げ動作に起因する第１エアマット２８の内圧の変化は、所定の時間の間隔で上がっていくものであり、本実施形態では、それを検出するものであることから、例えば、第２エアマット３０に人が座った際に生じる第１エアマット２８の急激な内圧の変化があったとしても、それを背上げ動作と認識することがない。
【００５８】
続いて、本発明に係るエアマット装置の第４の実施形態について、図面を参照しながら説明する。
図７は、本発明に係るエアマット装置の第４の実施形態を示した斜視図で、図８は、本発明に係るエアマット装置の第４の実施形態を示したエアチューブの構成を追加した側面概略図である。符号については、第３エアマットが３２、第４エアマットが３４である以外は、図３と同様である。
【００５９】
本実施形態におけるエアマット装置１０は、図７に示すように、ベッド１２上にて使用するもので、ベースシート１４と、ベースシート１４の上面側に載置するエアマット１６と、エアマット１６の上面側に重ねて配置されるマットレス３８と、エアマット１６の内圧の変化を検出する内圧検出手段２０と、エアマット１６の内圧を調整する内圧調整手段２２とを備え、内圧検出手段２０が、ベッド１２の背上げ動作又は背下げ動作に起因するエアマット１６の内圧の所定時間間隔における所定の変化量を検出した際には、内圧調整手段２２が、エアマット１６の内圧を予め定められた値に調整する制御を行う。
【００６０】
ここで、本実施形態においては、マットレス３８は、図７に示すように、患者等が横たわる方向と直行する向き、つまり、ベッド１２の長手方向と直行する向きに寝かせた状態で、ベッド１２の長手方向に沿って、複数本並設させたエアセル１８によって構成されているものである。なお、エアセル１８は、例えば、ポリウレタンシート等からなる気密性シートを溶着することにより細長い袋状としたものを用いている。
【００６１】
そして、本実施形態では、エアセル１８は、複数のグループに分けて連通されるとともに、エアポンプ２４と、エアチューブ２６を介して接続されており、エアチューブ２６を通じてエアポンプ２４及び分配器（図示せず）によるエアの制御によって、そのグループ毎の内圧が調整（膨張・収縮）され、エアセル１８を波動させる仕組みとしているが、これは、本発明を限定するものではない。
【００６２】
また、本実施形態では、マットレス３８も、エアポンプ２４と、エアチューブ２６（図８において、太線）を介して接続されており、エアチューブ２６を通じてエアポンプ２４によるエアの制御によって、内圧が調整（膨張・収縮）される仕組みとなっている。なお、エアマット１６と、マットレス３８は、それぞれ独立しており、相互にエアの流通はされない構造となっている。
【００６３】
そして、ベッド１２の背上げ動作に起因してエアマット１６の内圧が変化（増加）していくと、その変化量を、エアマット１６にエアチューブ２６（図８において、細線）を介して接続されている内圧検出手段２０が検出する。ここで、所定の変化量が検出された際には、エアマット１６にエアチューブ２６（図８において、太線）を介して接続されている内圧調整手段２２が、エアポンプ２４を操作して、エアマット１６に向かって所定量のエアを給気させ、エアマット１６の内圧を予め定められた値に調整（増加調整）するようになっている。
【００６４】
ここで、内圧検出手段２０が検出する所定の変化量とは、所定の時間間隔における内圧の変化量を意味している（例えば、１５秒のスパンで、内圧が２ｍｍＨｇ上昇）。これは、例えば、人が、マットレス３８に座ったことにより、その下面側に重なるエアマット１６の内圧が急激に変化する場合などを除外するためである。
【００６５】
また、例えば、角度の大きい背上げ動作が行われると、所定の時間間隔における内圧の変化量が大きくなるため、それに的確に対応して内圧調整手段２２が、エアマット１６の内圧を調整（増加調整）することができるようになっている。このように、エアマット１６の内圧を制御することによって（例えば、エアマット１６の内圧を上げることにより）、背上げ動作によって引き起こされるおそれがある患者等（被介護者等）の底づき等を防止することが可能となるわけである。
【００６６】
逆に、ベッド１２の背下げ動作に起因してエアマット１６の内圧が変化（減少）していくと、その変化量についても、内圧検出手段２０が検出する。所定の変化量が検出された際には、内圧調整手段２２が、エアポンプ２４を操作して、エアマット１６から所定量のエアを排気させ、エアマット１６の内圧を予め定められた値に調整（減少調整）するようになっている。
【００６７】
ここでも、例えば、角度の大きい背下げ動作が行われると、所定の時間間隔における内圧の変動値が大きくなるため、それに的確に対応して内圧調整手段２０が、エアポンプ２４を操作して、エアマット１６の内圧を調整（減少調整）することができ、背上げ動作において内圧調整手段２２が増加させたままとなっているエアマット１６の内圧を減少させることができる。そのため、例えば、エアマット装置１０の、床ずれ防止効果の低減を抑えるようになっている。
【００６８】
ここで、本実施形態では、図８に示すように、エアマット１６は、マットレス３８に横たわる患者等の腰部近辺に位置するよう配置されている。これは、内圧の変化量を検出しやすいのは、患者等の腰部付近だからである。ただし、この位置は、例えば、患者等の背中位置に配置しても良いし、本発明を限定するものではない。
【００６９】
なお、本実施形態では、エアマット１６は、マットレス３８の下面側に重ねて配置されているが、エアマット１６をマットレス３８の上面側に重ねて配置させても良い。さらに、本実施形態においては、マットレス３８は、複数本並設させたエアセル１８によって構成されているが、例えば、ウレタンフォームのマットや、３次元網状構造体のような非エアータイプのものを用いても構わない。
【００７０】
続いて、本発明に係るエアマット装置の第５の実施形態について、図面を参照しながら説明する。
図９は、本発明に係るエアマット装置の第５の実施形態を示した斜視図で、図１０は、本発明に係るエアマット装置の第５の実施形態を示したエアチューブの構成を追加した側面概略図である。符号については、第３エアマットが３２、第４エアマットが３４、第５エアマットが３６である以外は、図３と同様である。
【００７１】
本実施形態におけるエアマット装置１０は、図９示すように、ベッド１２上にて使用するもので、ベースシート１４と、ベースシート１４の上面側に載置する第３エアマット３２と、第３エアマット３２の下面側に重ねて配置される第４エアマット３４と、同様に、第３エアマット３２の下面側に配置される第５エアマット３６と、第４エアマット３４の内圧の変化を検出する内圧検出手段２０と、第５エアマット３６の内圧を調整する内圧調整手段２２とを備え、内圧検出手段２０が、ベッド１２の背上げ動作又は背下げ動作に起因する第４エアマット３４の内圧の所定時間間隔における所定の変化量を検出した際には、内圧調整手段２２が、第５エアマット３６の内圧を予め定められた値に調整する制御を行う。
【００７２】
ここで、本実施形態においては、第３エアマット３２は、図９に示すように、患者等が横たわる方向と直行する向き、つまり、ベッド１２の長手方向と直行する向きに寝かせた状態で、ベッド１２の長手方向に沿って、複数本並設させたエアセル１８によって構成されているものである。なお、エアセル１８は、例えば、ポリウレタンシート等からなる気密性シートを溶着することにより細長い袋状としたものを用いている。
【００７３】
そして、本実施形態では、エアセル１８は、複数のグループに分けて連通されるとともに、エアポンプ２４と、エアチューブ２６を介して接続されており、エアチューブ２６を通じてエアポンプ２４及び分配器（図示せず）によるエアの制御によって、そのグループ毎の内圧が調整（膨張・収縮）され、エアセル１８を波動させる仕組みとしているが、これは、本発明を限定するものではない。
【００７４】
また、本実施形態では、第５エアマット３６も、エアポンプ２４と、エアチューブ２６（図１０において、太線）を介して接続されており、エアチューブ２６を通じてエアポンプ２４によるエアの制御によって、内圧が調整（膨張・収縮）される仕組みとなっている。なお、第３エアマット３２と、第４エアマット３４、そして、第５エアマット３６は、それぞれ独立しており、相互にエアの流通はされない構造となっている。
【００７５】
そして、ベッド１２の背上げ動作に起因して第４エアマット３４の内圧が変化（増加）していくと、その変化量を、第４エアマット３４にエアチューブ２６（図１０において、細線）を介して接続されている内圧検出手段２０が検出する。ここで、所定の変化量が検出された際には、第５エアマット３６にエアチューブ２６（図１０において、太線）を介して接続されている内圧調整手段２２が、エアポンプ２４を操作して、第５エアマット３６に向かって所定量のエアを給気させ、第５エアマット３６の内圧を予め定められた値に調整（増加調整）するようになっている。
【００７６】
ここで、内圧検出手段２０が検出する所定の変化量とは、所定の時間間隔における内圧の変化量を意味している（例えば、１５秒のスパンで、内圧が２ｍｍＨｇ上昇）。これは、例えば、人が、第３エアマット３２に座ったことにより、その下面側に重なる第４エアマット３４の内圧が急激に変化する場合などを除外するためである。
【００７７】
また、例えば、角度の大きい背上げ動作が行われると、所定の時間間隔における内圧の変化量が大きくなるため、それに的確に対応して内圧調整手段２２が、第５エアマット３６の内圧を調整（増加調整）することができるようになっている。このように、第５エアマット３６の内圧を制御することによって（例えば、第５エアマット３６の内圧を上げることにより）、背上げ動作によって引き起こされるおそれがある患者等（被介護者等）の底づき等を防止することが可能となるわけである。
【００７８】
逆に、ベッド１２の背下げ動作に起因して第４エアマット３４の内圧が変化（減少）していくと、その変化量についても、内圧検出手段２０が検出する。所定の変化量が検出された際には、内圧調整手段２２が、エアポンプ２４を操作して、第５エアマット３６から所定量のエアを排気させ、第５エアマット３６の内圧を予め定められた値に調整（減少調整）するようになっている。
【００７９】
ここでも、例えば、角度の大きい背下げ動作が行われると、所定の時間間隔における内圧の変動値が大きくなるため、それに的確に対応して内圧調整手段２０が、エアポンプ２４を操作して、第５エアマット３６の内圧を調整（減少調整）することができ、背上げ動作において内圧調整手段２２が増加させたままとなっている第５エアマット３６の内圧を減少させることができる。そのため、例えば、エアマット装置１０の、床ずれ防止効果の低減を抑えるようになっている。
【００８０】
ここで、本実施形態では、図１０に示すように、第４エアマット３４は、第３エアマット３２に横たわる患者等の背中近辺に位置するよう配置されている。これは、内圧の変化量を検出しやすいためである。ただし、この位置は、本発明を限定するものではない。
【００８１】
なお、本実施形態では、第４エアマット３４は、第３エアマット３２の下面側に重ねて配置されているが、第４エアマット３４を第３エアマット３２の上面側に重ねて配置させても良い。
【符号の説明】
【００８２】
１０  エアマット装置
１２  ベッド
１４  ベースシート
１６  エアマット
１８  エアセル
２０  内圧検出手段
２２  内圧調整手段
２４  エアポンプ
２６  エアチューブ
２８  第１エアマット
３０  第２エアマット
３２  第３エアマット
３４  第４エアマット
３６  第５エアマット
３８  マットレス
【図１】
2018166694.tif 000003
【図２】
2018166694.tif 000004
【図３】
2018166694.tif 000005
【図４】
2018166694.tif 000006
【図５】
2018166694.tif 000007
【図６】
2018166694.tif 000008
【図７】
2018166694.tif 000009
【図８】
2018166694.tif 000010
【図９】
2018166694.tif 000011
【図１０】
2018166694.tif 000012
【図１１】
2018166694.tif 000013
【図１２】
2018166694.tif 000014
【図１３】
2018166694.tif 000015